(57)【要約】【課題】増毛用材料に粘着剤等が付着することなく増毛用材料を保持し、かつ、増毛用材料の取り出しが容易である増毛用材料の保持具を提供する。【解決手段】増毛用材料の保持具１は、第１のシート１１と、第１のシート１１に連接部１６によって連接され、第１のシート１１に折り重ねられる前記第２のシート１２と、第１のシート１１に設けられ、増毛用材料１０を吸着して着脱可能に保持する帯状の吸着保持部１３と、第２のシート１２の少なくとも吸着保持部１３に対面する領域に設けられ、吸着保持部１３に対面する面が粗面であり、吸着保持部１３に吸着されて保持された状態の増毛用材料１０を保護する保護部１４と、第１のシート１１及び第２のシート１２の端部を外側へ折り曲げ可能とする折り線１７とを備えるものとした。【選択図】図１
0003199303.tif 000002
【実用新案登録請求の範囲】
【請求項１】
縮小可能なループ部を一端に有する増毛用材料を複数配列して保持する増毛用材料の保持具であって、
略矩形状である第１のシートと、
前記第１のシートに連接部によって連接され、前記連接部に沿って前記第１のシートに折り重ねられる前記第２のシートと、
前記第１のシートに設けられ、前記増毛用材料を吸着して着脱可能に保持する帯状の吸着保持部と、
前記第２のシートの少なくとも前記吸着保持部に対面する領域に設けられ、前記吸着保持部に対面する面が粗面であり、前記吸着保持部に吸着されて保持された状態の前記増毛用材料を保護する保護部と、
前記第１のシート及び前記第２のシートの端部を外側へ折り曲げ可能とする折り線部と、
を備え、
前記吸着保持部は、前記増毛用材料の前記ループ部よりも他端側を吸着保持し、
前記折り線部に沿って前記第１のシート及び前記第２のシートの端部を外側に折り曲げることにより、前記ループ部が露出すること、
を特徴とする増毛用材料の保持具。
【請求項２】
請求項１に記載の増毛用材料の保持具において、
前記保護部は、帯状に形成され、前記吸着保持部を被覆可能であること、
を特徴とする増毛用材料の保持具。
【請求項３】
請求項１又は請求項２に記載の増毛用材料の保持具において、
前記保護部は、樹脂製の発泡体により形成されていること、
を特徴とする増毛用材料の保持具。
【請求項４】
請求項１から請求項３までのいずれか１項に記載の増毛用材料の保持具において、
前記吸着保持部は、少なくとも前記増毛用材料が配列される側の面が吸着作用を有する樹脂製の吸着部材を用いて形成されていること、
を特徴とする増毛用材料の保持具。
【請求項５】
請求項１から請求項４までのいずれか１項に記載の増毛用材料の保持具において、
前記第１のシートに設けられ、前記増毛用材料の前記他端側を束ねる束ね部を有すること、
を特徴とする増毛用材料保持具。
【考案の詳細な説明】
【技術分野】
【０００１】
本考案は、増毛用材料を保持する増毛用材料の保持具に関するものである。
【背景技術】
【０００２】
従来、自毛の毛根付近に人工毛髪等の増毛用の材料（以下、単に増毛用材料という）を結び付ける等の増毛法が知られている。このような増毛法において使用される増毛用材料は、一般に、縮小可能なループ部が形成されており、ピンセットや専用の毛取りペン等で自毛をループ部に通す等して結び付けられる。
【０００３】
増毛作業を迅速に行う観点から、あらかじめループ部が形成された状態の増毛用材料を作業者の手元等に多数用意しておく必要がある。そのため、ループ部が形成された状態の増毛用材料を台紙等に設けられた粘着テープや面ファスナ上に複数配列して保持する保持具が知られている（例えば、特許文献１，２参照）。
【先行技術文献】
【特許文献】
【０００４】
【特許文献１】特開平６−２３５１０７号公報
【特許文献２】特開平９−２２８１３０号公報
【考案の概要】
【考案が解決しようとする課題】
【０００５】
しかし、例えば、特許文献１に示すような粘着剤層上に増毛用材料が配列された保持具では、保持具から取り外した増毛用材料に粘着剤が付着し、増毛作業時に、増毛用材料同士や、増毛用材料と被増毛者の自毛とが絡み付いて増毛作業が困難になるという問題があった。また、櫛通しの際に、増毛用材料に付着した粘着剤が櫛に付着し、櫛に増毛用材料等が絡んで櫛通りを悪くするという問題があり、極端な場合には、櫛を通す際に増毛用材料が自毛とともに抜け落ちてしまうおそれがあった。
【０００６】
また、特許文献２に示すような面ファスナにより増毛用材料を保持する保持具では、面ファスナの表面に形成された紐状体等に増毛用材料が絡んで保持されているので、輸送時の振動等によって、増毛用材料がその長手方向に移動してしまう。そして、ループ部が面ファスナに近接し、各増毛用材料のループ部同士が重なる等して、増毛作業時に、増毛用材料を取り出すことが困難となり、迅速な増毛作業が行いにくいという問題があった。
【０００７】
本考案の課題は、増毛用材料に粘着剤等が付着することなく増毛用材料を保持し、かつ、増毛用材料の取り出しが容易である増毛用材料の保持具を提供することである。
【課題を解決するための手段】
【０００８】
本考案は、以下のような解決手段により、前記課題を解決する。なお、理解を容易にするために、本考案の実施形態に対応する符号を付して説明するが、これに限定されるものではない。
請求項１の考案は、縮小可能なループ部（１０ａ）を一端に有する増毛用材料（１０）を複数配列して保持する増毛用材料の保持具であって、略矩形状である第１のシート（１１）と、前記第１のシートに連接部（１６，２６）によって連接され、前記連接部に沿って前記第１のシートに折り重ねられる前記第２のシート（１２）と、前記第１のシートに設けられ、前記増毛用材料を吸着して着脱可能に保持する帯状の吸着保持部（１３）と、前記第２のシートの少なくとも前記吸着保持部に対面する領域に設けられ、前記吸着保持部に対面する面が粗面であり、前記吸着保持部に吸着されて保持された状態の前記増毛用材料を保護する保護部（１４）と、前記第１のシート及び前記第２のシートの端部を外側へ折り曲げ可能とする折り線部（１７）と、を備え、前記吸着保持部は、前記増毛用材料の前記ループ部よりも他端側を吸着保持し、前記折り線部に沿って前記第１のシート及び前記第２のシートの端部を外側に折り曲げることにより、前記ループ部が露出すること、を特徴とする増毛用材料の保持具（１，２）である。
請求項２の考案は、請求項１に記載の増毛用材料の保持具において、前記保護部（１４）は、帯状に形成され、前記吸着保持部（１３）を被覆可能であること、を特徴とする増毛用材料の保持具（１，２）である。
請求項３の考案は、請求項１又は請求項２に記載の増毛用材料の保持具において、前記保護部（１４）は、樹脂製の発泡体により形成されていること、を特徴とする増毛用材料の保持具（１，２）である。
請求項４の考案は、請求項１から請求項３までのいずれか１項に記載の増毛用材料の保持具において、前記吸着保持部（１３）は、少なくとも前記増毛用材料が配列される側の面が吸着作用を有する樹脂製の吸着部材を用いて形成されていること、を特徴とする増毛用材料の保持具（１，２）である。
請求項５の考案は、請求項１から請求項４までのいずれか１項に記載の増毛用材料の保持具において、前記第１のシート（１１）に設けられ、前記増毛用材料（１０）の前記他端側を束ねる束ね部（１５）を有すること、を特徴とする増毛用材料保持具（１，２）である。
【考案の効果】
【０００９】
本考案によれば、増毛用材料に粘着剤等が付着することなく増毛用材料を保持し、かつ、増毛用材料の取り出しが容易である増毛用材料の保持具を提供できる。
【図面の簡単な説明】
【００１０】
【図１】実施形態の増毛用材料１０の保持具１を展開して示した平面図である。
【図２】実施形態の増毛用材料１０の保持具１を示す斜視図である。
【図３】実施形態の増毛用材料１０の保持具１の増毛作業時の使用状態を示す図である。
【図４】実施形態の増毛用材料１０の保持具１の作製及び使用の様子を説明する図である。
【図５】実施形態の増毛用材料１０の保持具１の作製及び使用の様子を説明する図である。
【図６】実施形態の増毛用材料１０の保持具１の作製及び使用の様子を説明する図である。
【図７】別の実施形態の増毛用材料１０の保持具２を展開して示した平面図である。
【考案を実施するための形態】
【００１１】
以下、図面等を参照して、本考案の実施形態について説明する。
なお、図１を含め、以下に示す各図は、模式的に示した図であり、各部の大きさ、形状は、理解を容易にするために、適宜誇張している。
【００１２】
（実施形態）
図１は、実施形態の増毛用材料１０の保持具１を展開して示した平面図である。
図２は、実施形態の増毛用材料１０の保持具１を示す斜視図である。
図３は、実施形態の増毛用材料１０の保持具１の増毛作業時の使用状態を示す図である。
図１及び図２に示すように、本考案の実施形態の増毛用材料１０の保持具１は、ループ部１０ａを有する複数の増毛用材料１０を配列して保持する保持具である。保持具１は、第１のシート１１、第２のシート１２、吸着保持部１３、保護部１４、束ね部１５、連接部１６、折り線１７、切込み部１８等を有している。
ここで、図１及び後述の図７において、理解を容易にするために、ＸＹ座標軸を設けている。紙面内左右方向をＸ方向（紙面内左側をＸ１側、右側をＸ２側とする）、紙面内上下方向をＹ方向（紙面内下側をＹ１側、紙面内上側をＹ２側）とする。
以下に、実施形態の増毛用材料１０の保持具１の詳細について説明する。
【００１３】
第１のシート１１及び第２のシート１２は、矩形状であり、紙製や樹脂製のシート状の部材である。第１のシート１１及び第２のシート１２の一方の面１ａには、後述する吸着保持部１３や保護部１４等が形成され、他方の面１ｂには、例えば、増毛用材料１０の保持されている本数や、色等が印刷されている。
本実施形態では、図１に示すように、第１のシート１１及び第２のシート１２は、その長辺がＹ方向に平行であり、短辺がＸ方向に平行である例を挙げて説明するが、これに限らず、例えば、増毛用材料１０の長さや、保持する増毛用材料１０の本数に応じて、例えば、長辺がＸ方向に平行、短辺がＹ方向に平行な矩形状としてもよいし、正方形としてもよい。
【００１４】
この第１のシート１１及び第２のシート１２は、第１のシート１１のＸ１側の辺及び第２のシート１２のＸ２側の辺の一部が、連接部１６で連接されている。保持具１は、この連接部１６に沿って折り曲げ可能であり、連接部１６に沿って折り曲げて第１のシート１１上に第２のシート１２を重ねることが可能である。
なお、上記の例に限らず、例えば、第２のシート１２は、第１のシート１１のＸ２側に連接されていてもよい。
【００１５】
吸着保持部１３は、帯状であり、第１のシート１１の一方の面１ａの一端側（Ｙ２側）に、連接部１６の長手方向に対して直交する方向（Ｘ方向）をその長手方向として配置されている。
吸着保持部１３は、その一方の面に吸着作用を有する樹脂製の層（吸着層）が形成され、他方の面に粘着剤層が形成された帯状の部材により形成されている。吸着保持部１３は、粘着剤層により第１のシート１１の面１ａに接合されおり、他方の吸着作用を有する吸着層上には、増毛用材料１０が複数配列され、着脱可能に吸着されて保持されている。このとき、増毛用材料１０は、その長手方向が吸着保持部１３の長手方向に直交又は交差している。
【００１６】
この吸着保持部１３は、基材の片面に吸着層が形成され、他方の面に粘着剤層が形成された汎用の片面吸着片面粘着型のシート部材やテープ部材を用いて形成可能である。
吸着層は、例えば、複数の微細孔を有するアクリルフォームであり、その微細孔の吸盤作用により、吸着作用を発揮する。そして、この吸着層の吸着力は、特に平滑面に対して強く、粗面に対しては弱いという特徴を有する。
また、吸着層は、吸着面（吸着層の表面）に平行な方向や吸着面に対する角度が小さい方向への吸着した対象物のずれには、強い吸着力を発揮して、そのずれを防止する。しかし、吸着層は、吸着面から対象物を持ち上げて剥離するような、吸着面に対して大きな角度をなす方向への対象物の動きに対する吸着力が弱い。従って、増毛作業者は、吸着された増毛用材料１０を不図示の毛取りペン等で吸着保持層１３から持ち上げることで、増毛用材料１０を軽い力で容易に吸着保持層１３から剥離できる。
【００１７】
本実施形態では、吸着保持部１３の幅は、約５ｍｍである。しかし、これに限らず、吸着する増毛用材料１０の太さや材質、本数等に応じて、その幅は、約３〜７ｍｍの間で適宜調整してよい。
なお、吸着保持部１３は、両面が吸着作用を有するシート状やテープ状の部材を用いて形成してもよい。
【００１８】
増毛用材料１０は、被増毛者の自毛の毛根部付近に結び付けて増毛を行うための材料である。増毛用材料１０は、１本又は複数本の人工毛髪又は人毛、天然毛髪により形成されており、図１等に示すように、その一部に縮小可能なループ部１０ａが形成されている。増毛用材料１０は、このループ部１０ａを一方の端部とし、ループ部１０ａから他方の端部１０ｂ側へ２本以上の毛が伸びている状態で、吸着保持部１３に保持されている。
図１等では、理解を容易にするために、１組の増毛用材料１０は、１本の人工毛髪により形成され、ループ部１０ａから他方の端部１０ｂへ２本の毛髪が伸びている例を示している。しかし、１組の増毛用材料１０を形成する人工毛髪等は、増毛方法等に応じて適宜その本数を変更でき、２本以上の人工毛髪により形成されてもよい。また、図１等では、理解を容易にするために、増毛用材料１０が１０組配列されている例を示しているが、実際は、５０〜１００組程度配列されており、その数は適宜選択できる。
【００１９】
増毛用材料１０は、図１に示すように、ループ部１０ａが吸着保持部１３よりもＸ２側に位置し、かつ、ループ部１０ａが第１のシート１１のＹ２側端部から突出しないように、吸着保持部１３上に配列されている。従って、増毛用材料１０は、ループ部１０ａよりも他方の端部１０ｂ側の部分が吸着保持部１３に保持されている。
ループ部１０ａと吸着保持部１３とは、Ｙ方向において数センチ程度離れている方が、増毛作業時に増毛用材料１０を取り出し易くなる。増毛作業を迅速に行う観点から、ループ部１０ａの下端（他方の端部１０ｂ側の端部）から吸着保持部１３までの距離（図１に示す寸法ｄ）は、約２〜５ｃｍ程度とすることが好ましい。ループ部１０ａと吸着保持部１３との間の距離が、この範囲よりも小さいと、増毛作業時に増毛作業者が増毛用材料１０を取り出しにくく、また、この範囲よりも大きいと、図３に示すような増毛作業時に、増毛用材料１０のループ部１０ａが自重により大きく倒れる等して増毛用材料を取り出しにくい。従って、ループ部１０ａの下端から吸着保持部１３までの距離は、上記の範囲が好ましい。
【００２０】
本実施形態の増毛用材料１０は、図１及び図２に示すように、ループ部１０ａの位置をＹ方向（長手方向）において交互にずらして吸着保持部１３上に配列されている。このように配置することにより、隣り合う増毛用材料１０のループ部１０ａが重なることなく多数の増毛用材料１０を吸着保持部１３に保持させることができ、また、増毛作業時に、増毛作業者が増毛用材料１０を取り出し易い。
なお、これに限らず、吸着保持部１３上に配列される増毛用材料１０の本数等によっては、増毛用材料１０は、吸着保持部１３からループ部１０ａまでの距離を同一にして、配列してもよい。
【００２１】
本実施形態の増毛用材料１０は、その長さが約３０ｃｍであり、吸着保持部１３に保持された状態で、増毛用材料１０のループ部１０ａとは反対側の端部１０ｂが第１のシート１１のＹ１側端部からはみ出ない長さとなっている。
なお、これに限らず、増毛用材料１０の長さは、適宜変更可能である。ただし、増毛用材料１０が、吸着保持部１３に保持された状態で、端部１０ｂが第１のシート１１のＹ１側端部からはみ出るほど長い場合、増毛作業時等に、増毛用材料１０同士が絡まり、増毛作業が迅速に行えない等の問題が生じやすく、好ましくない。
【００２２】
第１のシート１１の面１ａ上であって、吸着保持部１３が設けられた端部とは反対側（Ｙ１側）には、増毛用材料１０を束ねる束ね部１５が設けられている。この束ね部１５は、紙製又は樹脂製の帯状の部材であり、その長手方向が吸着保持部１３の長手方向（Ｘ方向）に平行に配置されている。
束ね部１５は、長手方向（Ｘ方向）の両端部が、第１のシート１１の面１ａに不図示の粘着剤層や両面テープ等により貼付されている。増毛用材料１０は、その端部１０ｂ側が第１のシート１１と束ね部１５の間の空間に通されている。この束ね部１５は、増毛用材料１０同士の絡みつきやまとわりつき等を抑制する効果を有する。
【００２３】
保護部１４は、第２のシート１２の面１ａの一端側（Ｙ２側）に設けられている。この保護部１４は、連接部１６に沿って、面１ａ側を内側にして、第２のシート１２を第１のシート１１上に折り重ねた際に、吸着保持部１３に対する位置に設けられている。
保護部１４は、帯状であり、その幅は、吸着保持部１３の幅と同じか、それ以上であることが好ましい。本実施形態では、保護部１４の幅は約１ｃｍとなっている。
保護部１４は、連接部１６に沿って第２のシート１２を第１のシート１１上へ折り重ねた場合に、吸着保持部１３を被覆可能であり、吸着保持部１３に対面する面が粗面となっている。
【００２４】
保護部１４は、樹脂製の発泡体により形成されており、例えば、汎用の樹脂製の発泡シート材、発泡テープ材等を用いて形成できる。本実施形態では、保護部１４は、帯状に形成された発泡ポリエチレンシートを用いて形成され、不図示の粘着剤層や両面テープ等により、第２のシート１２の面１ａ上に接合されている。
保護部１４は、第２のシート１２を第１のシート１１上へ折り重ねた場合に、増毛用材料１０の間に露出する吸着保持部１３により吸着される。これにより、保護部１４は、増毛用材料１０が吸着保持部１３に吸着された状態を保護し、増毛用材料１０の離脱やズレ、吸着保持部１３への埃等の異物の侵入等を防ぐ効果を有する。
また、保護部１４は、吸着保持部１３に対する面が粗面となっているので、吸着保持部１３の保護部１４への吸着力が小さく、保護部１４の吸着保持部１３からの剥離が容易である。従って、増毛用材料１０が吸着保持部１３に必要以上に強く吸着されることがなく、増毛作業時に、増毛作業者が、増毛用材料１０を容易に取り出すことができる。
【００２５】
封止部１９は、第１のシート１１及び第２のシート１２を連接部１６に沿って折り重ねた後に、第１のシート１１の面１ｂ（吸着保持部１３等が設けられた面とは反対側の面）に重ねて接合される部分である。本実施形態では、封止部１９は、不図示の粘着剤層又は両面テープ等により第１のシート１１の面１ｂに接合されている（図２参照）。
この封止部１９は、例えば、第２のシート１２のＸ１側端部のＹ１側に設けられているが、この位置は適宜変更でき、例えば、第２のシート１２のＸ１側端部のＹ方向中央に設けてもよいし、第１のシート１１のＸ２側端部に設けてもよい。
【００２６】
折り線１７は、第１のシート１１及び第２のシート１２の吸着保持部１３及び保護部１４よりも外側（Ｙ２側）に、吸着保持部１３及び保護部１４の長手方向（Ｘ方向）に平行に（連接部１６に直交する方向に）設けられている。
切込み部１８は、連接部１６の外側（Ｙ２側）に、連接部１６の長手方向（Ｙ方向）に平行に形成されている。この切込み部１８は、そのＹ２側端部が第１のシート１１及び第２のシート１２のＹ２側端部に達し、Ｙ１側端部が折り線１７に達している。
この折り線１７及び切込み部１８により、保持具１は、図２に示すように、第１のシート１１及び第２のシート１２の端部１１ａ，１２ａを折り線１７に沿って外側へ折り曲げ可能である。
【００２７】
そして、図３に示すように、増毛作業時には、保持具１は、端部１１ａ，１２ａを外側へ折り曲げた状態で、汎用のスタンド３０等に一方の端部（例えば１１ａ）を支持させ、机の天板の上等に配置される。
この状態で、増毛作業者は、増毛用材料１０を不図示のピンセットや毛取りペン等により、保持具１から取り出し、被増毛者の頭髪に結び着ける増毛作業を行う。
【００２８】
図４，図５，図６は、本実施形態の増毛用材料１０の保持具１の作製及び使用の様子を説明する図である。
図４（ａ）に示すように、第１のシート１１及び第２のシート１２の所定の位置に、折り線１７及び切込み部１８、連接部１６を形成し、吸着保持部１３、保護部１４、束ね部１５を配置し、適宜固定する。
このとき、吸着保持部１３の吸着面（吸着層の表面）に埃等が付着することを防止するために、増毛用材料１０を配置する直前まで、吸着保持部１３の表面には、不図示の剥離紙が積層されている状態とするとよい。また、束ね部１５は、長手方向の一方のみが第１のシート１１に接合されている状態である。
【００２９】
吸着保持部１３の不図示の剥離紙を剥がす等した後に、図４（ｂ）に示すように、吸着保持部１３上に、ループ部１０ａが形成された増毛用材料１０を所定の組数配置する。
そして、増毛用材料１０のループ部１０ａとは反対側の端部１０ｂを束ね部１５と第１のシート１１との間に束ね、束ね部１５の未接合であった端部を不図示の両面テープ等で第１のシート１１に接合する。
【００３０】
次に、図５（ａ）に示すように、保持具１を、面１ａが内側となるように連接部１６に沿って折り、第１のシート１１上に第２のシート１２を重ねる。
そして、図５（ｂ）に示すように、封止部１９を第１のシート１１の面１ｂに接合する。これにより、増毛用材料保持具１の連接部１６とは対向する端部が封止部１９で封止される。この状態で、増毛用材料１０の保持具１は、輸送、運搬、保管等される。
増毛作業を行う際には、増毛作業者は、折り線１７に沿って、第１のシート１１及び第２のシート１２の端部１１ａ，１２ａを外側に折り曲げ、図６（ａ）に示すように、増毛用材料１０のループ部１０ａを露出させる。
【００３１】
そして、増毛作業者は、このようにループ部１０ａが露出した状態の保持具１を、図６（ｂ）に示すように、一方の端部（例えば、端部１１ａ）をスタンド３０により支持する等して、机の天板の上等に配置する。そして、この保持具１から、不図示の毛取りペン等で増毛用材料１０を鉛直方向上側に引き上げながら取り出し、被増毛者の自毛の毛根部付近に増毛用材料１０を結びつける増毛作業を行う。
このとき、ループ部１０ａのみが保持具１から露出しており、ループ部１０ａは、折り線１７よりも２〜５センチ程度突出した状態で保持されているので、増毛用材料１０の取り出しが容易である。
【００３２】
なお、保持具１は、端部１１ａ又は端部１２ａが十分な剛性を有している等し、自立可能であるならば、スタンド３０を使用しなくともよい。
また、保持具１は、図６（ｃ）に示すように、端部１１ａ，１２ａを折り曲げた状態で、２つ以上の保持具１を積層して使用してもよい。このとき、一方の保持具１の端部（例えば端部１２ａ）に、重ねられた他方の保持具１の端部（例えば端部１１ａ）が積層された状態となっている。このとき、積層された端部１１ａ及び端部１２ａは、不図示のクリップ等で挟んで固定してもよい。
また、図６（ｃ）に示すように保持具１を複数重ねて配置する場合、それぞれの保持具１に保持されている増毛用材料１０は、１組の毛髪の本数が異なっていたり、材質や色、太さ、長さ等が異なっていてもよいし、同じであってもよい。
【００３３】
本実施形態の増毛用材料１０の保持具１によれば、ループ部１０ａを有する増毛用材料１０は、吸着保持部１３で吸着されて保持されており、粘着剤等を使用しないので、粘着剤等が増毛用材料１０に付着しない。従って、粘着剤によって増毛用材料１０同士や増毛用材料１０と被増毛者の自毛とが絡み合い、櫛通りが悪くなるという問題がなく、櫛通りがなめらかである。
【００３４】
また、本実施形態の保持具１によれば、吸着保持部１３は、その吸着面に平行な方向における増毛用材料１０のずれに対しては強い吸着力を発揮する。従って、増毛用材料１０がその長手方向（吸着保持部１３の長手方向に直交する方向、Ｙ方向）へずれて、ループ部１０ａの位置が、吸着保持部１３側に近接したり、隣接するループ部１０ａ同士が重なり合ったりすることがなく、増毛用材料１０を取り出し易く、増毛作業を迅速かつ容易に行うことができる。また、吸着保持部１３は、増毛用材料１０を吸着面から上に持ち上げる動きに対しては吸着力が弱いので、容易に増毛用材料１０を取り外すことができる。
さらに、本実施形態の保持具１によれば、吸着保持部１３の吸着面上に複数配列されて吸着された増毛用材料１０は、保護部１４に被覆され、保護されている。この保護部１４は、吸着保持部１３側の面が粗面であり、吸着保持部１３から容易に剥離できるので、増毛用材料１０のスムーズな取り出しを妨げることがない。
【００３５】
（別の実施形態）
図７は、別の実施形態の増毛用材料１０の保持具２を展開して示した平面図である。
上述した実施形態に限らず、図７に示すような別の実施形態の増毛用材料１０の保持具２としてもよい。
この別の実施形態の増毛用材料１０の保持具２は、連接部２６，封止部２９等が異なり、切込み部１８を備えていない点以外は、前述の実施形態の保持具１と同様である。従って、前述の実施形態と同様の機能を果たす部分には、同一の符号又は末尾に同一の符号を付して、重複する説明を適宜省略する。
【００３６】
図７に示すように、この実施形態の増毛用材料１０の保持具２は、第１のシート１１及び第２のシート１２を連接する連接部２６が、吸着保持部１３及び保護部１４の長手方向（Ｘ方向）に平行に形成されている。
また、封止部２９は、例えば、図７に示すように、第２のシート１２の左右（Ｘ方向）両端に設けられている。この封止部２９は、連接部２６に沿って第２のシート１２が第１のシート１１に折り重ねられたときに、第１のシート１１の面１ｂに貼り合わされる。そして、この状態で増毛用材料１０が輸送、運搬、保管等される。
このような増毛用材料１０の保持具２とした場合にも、前述の保持具１と同様に、増毛用材料１０に粘着剤等が付着することなく、櫛通りがよく、迅速かつ容易に増毛作業が行える。
【００３７】
（変形形態）
以上説明した各実施形態に限定されることなく、種々の変形や変更が可能であって、それらも本考案の範囲内である。
（１）保護部１４は、例えば、スポンジ状等の樹脂製の発泡シート等を用いて形成してもよい。また、保護部１４は、吸着保持部１３側の面が粗面であれば、他の樹脂製のシート部材等を用いてもよい。
【００３８】
（２）保持具１，２は、封止部１９，２９を設けず、第１のシート１１及び第２のシート１２が連接部１６，２６に沿って折り重ねられた状態で、輸送、運搬、保管される形態としてもよい。このとき、連接部１６，２６に沿って第１のシート１１及び第２のシート１２を折り重ねた状態の保持具１，２を、透明又は半透明の袋等に入れ、輸送、運搬、保管等を行ってもよい。
【００３９】
（３）第１のシート１１及び第２のシート１２は、矩形状である例を示したが、これに限らず、他の多角形形状としてもよいし、円形状や長円状や楕円状等としてもよく、保持する増毛用材料１０の量や保持具の意匠性、増毛作業のし易さ等を鑑みて、その形状を適宜選択してよい。
【００４０】
（４）保護部１４は、帯状である例を示したが、これに限らず、例えば、第２のシート１２の面１ａ全面が粗面である形状とし、第２のシート１２の面１ａ全体が保護部１４となる形態としてもよいし、少なくとも、第２のシート１２を第１のシート１１に折り重ねた際に吸着保持部１３に接する部分が粗面であれば、保護部１４の形状や大きさ等は適宜選択できる。
【００４１】
なお、本実施形態及び変形形態は、適宜組み合わせて用いることもできるが、詳細な説明は省略する。また、本考案は以上説明した実施形態等によって限定されることはない。
【符号の説明】
【００４２】
１，２    保持具
１０    増毛用材料
１０ａ    ループ部
１１    第１のシート
１２    第２のシート
１３    吸着保持部
１４    保護部
１５    束ね部
１６，２６    連接部
１７    折り線
１８    切込み部
１９，２９    封止部
【図１】
0003199303.tif 000003
【図２】
0003199303.tif 000004
【図３】
0003199303.tif 000005
【図４】
0003199303.tif 000006
【図５】
0003199303.tif 000007
【図６】
0003199303.tif 000008
【図７】
0003199303.tif 000009